(57)【要約】      （修正有）【課題】断面形状が同一形状の被塗装物を塗装するための塗装具を提供する。【解決手段】被塗装物の形状に合わせた枠に、四方の縁に立ち上がりを設けた枠を２分割して、それぞれの枠の内側に変形させた海綿体またはスポンジなどの浸透素材を設け、それぞれの枠の外側の中心部分に軸を設けた塗装部と、それぞれの塗装部が、回転できるように軸を支持する軸受けに塗装部を開閉するための取っ手を取り付けた操作部とを備える。【選択図】図１
0003163694.tif 000002
【実用新案登録請求の範囲】
【請求項１】
断面形状が同一形状の被塗装物を塗装するための塗装具であって、被塗装物の形状に合わせた枠を２分割し、それぞれの枠の内側に浸透素材を設け、それぞれの枠の外側に軸を設けた塗装部と、それぞれの塗装部が回動できるように軸を支持する軸受けと、塗装部を開閉するための取っ手を設けた操作部とを備えたことを特徴とする塗装具。
【請求項２】
前記浸透素材は、海綿体またはスポンジで構成されていることを特徴とする、請求項１に記載の塗装具。
【請求項３】
前記浸透素材に対して塗料を供給する塗料供給部を前記枠に備えることを特徴とする、請求項１、または２に記載の塗装具。
【考案の詳細な説明】
【技術分野】
【０００１】
この考案は、断面形状が同一形状の被塗装物を塗装するための塗装具に関するものである
【背景技術】
【０００２】
たとえば特許文献１では、本体が円筒状で先端部の内周面に、スポンジを付けて塗料を含ませて塗装する塗装具が開示されている。この塗装具は、図９に示すように、筒１０１の先端１０２の内側にスポンジを付け、塗料を染み込ませ塗装物に塗装する塗装具である。しかし、両端部に接合された円柱物や曲線に曲げられた円柱物などには使用できない。
【０００３】
この問題を解決する一つの手段として、刷毛などで何度も繰り返し塗っていた。
【先行技術文献】
【特許文献】
【０００４】
【特許文献１】実用新案登録第３０００７８６号
【考案の概要】
【考案が解決しようとする課題】
【０００５】
従来、円柱部分などの塗装には、ローラー、刷毛、又は、特許文献１の円筒状塗装具などを用いて使用していた。また、特許文献１の図１０の１０５、１０６６に示すように、塗装する円柱物の両端部などに接続する部分などがあるときなどは、図９の１０１の円筒状が使用出来なく、又、被塗装物が曲線に加工されている物にも同様に使用不可能であった。
【課題を解決するための手段】
【０００６】
このような課題を解決するために、本考案の塗装具は、断面形状が同一形状の被塗装物を塗装するための塗装具であって、被塗装物の形状に合わせた枠を２分割し、それぞれの枠の四方の縁に立ち上がりを設け、その枠の内部に変形させた海綿体や浸透素材を設け、それぞれの枠の外側の中心部分に軸を設けた塗装部と、それぞれの塗装部が支持方向に軸を、支持する軸受けに塗装部を開閉するための取っ手を取り付けた操作部とを備えたことを、特徴とする塗装具である。
【考案の効果】
【０００７】
本考案は、塗装部の２分割により塗装物が接合されていても塗装が可能になり、それぞれの枠の外側の中心部分に軸を設けた塗装部と、それぞれの塗装部が、回動できるように軸を支持する軸受けに取り付けたことで直線や曲線の塗装面などにも均一に塗装ができる。又、均等の厚みの海綿体が接合する箇所を斜めにカツトすることで、塗装部に均等に力がかかり塗料が液だれすることがなく、又、開閉するための取っ手を取り付けてあるので、塗装部がいかなる角度のものでも無理なく塗装ができる。
【図面の簡単な説明】
【０００８】
【図１】本考案の塗装具の全体図
【図２】本考案の塗装具の塗装具のＡ−Ａ断面の拡大図
【図３】本考案の塗装具で被塗装物包む状況を表した図面
【図４】本考案の塗装具を使用している図面
【図５】本考案の塗装具の外部面
【図６】本考案の塗装具の内壁図
【図７】本考案の別実施例の断面図
【図８】本考案の別実施例の外側の平面図
【図９】特許文献１の塗装具の斜視図
【図１０】特許文献１の使用図
【図１１】本考案の塗装具の側面図
【図１２】本考案の塗装具の方向別の全体図
【考案を実施するための形態】
【０００９】
本考案は、ハサミ型の両先端に軸受け３を設けて、枠４の外側の中心分の付いている軸６を軸６より少し大きい軸受け３に入れ、軸止め７で止めた枠を２分割することで，開閉と回動が出来るので自由に塗装物を包むことができることと、液だれ、液むら、刷毛むら、などに注目し徐々に工夫を凝らした、１つに、枠４の内側の四方の縁の部分に立ち上がり８を設けて、その立ち上がり８の内側に海綿体５を設置し、海綿体５を立ち上がり８より均等に高くして液だれなどを防ぐと共に、２分割の枠４が接合するとき海綿体５の４箇所の接合部分には斜めにカットして液むらに注意し、今までの塗装具に無い特徴を持った塗装道具である。
【００１０】
本考案の塗装道具は、断面形状が同一形状の枠４が２分割して、被塗装物に塗装部の枠４が、被塗装物をはさむことで被塗装物に自在に、塗装することができる。
以下、本考案を実施するための形態について説明する。
【００１１】
（実施の形態１）
本考案の塗装具は、ハサミ形、トンク形のような形の物で図１、図７に示すように取っ手部分１、支軸２、軸受け３、枠４、海綿体５、軸６、軸止め７、枠の四方の立ち上がり８及び塗料入れ９からなる構成で被塗装物を塗装できる塗装具である。
【００１２】
本考案のハサミ形の取っ手１部分について、２つの取っ手１部分が支軸２を交えた２つ先が図１で示しているように変形させた所に塗装部が取り付けてあり、塗装部の枠４が２分割しているので、塗装部の枠４が開閉することで、塗装物を包むように操作ができる。
【００１３】
上記、取っ手１部分の両先端が図２の拡大図で紹介しているように半円形の枠４が２ツ有り、枠４の軸６が外側の中心部分で一体化になって付いていて、取っ手１部分の両先端に有る軸受け３は軸６よりも少し大きくし、その軸受け３に軸６を入れ、軸止め７で止めるようになっているので、枠４が回動することが出来、自在に枠４が動かすことができる。
【００１４】
また、２分割した２ツの枠４の内側に向けて、液漏れ防止のために四方の縁に立ち上がり８を設けて、液だれを防ぎ、その枠４の内側部分の四方の縁に立ち上がり８の中に、海綿体５、スポンジなどの浸透素材を、立ち上がりの高さより海綿体５を均等に高く設けてあるので、塗装物全面に枠４の中の海綿体５が付く。
【００１５】
その海綿体５にも液だれ防止のために、枠４が接合する位置で海綿体５の接合箇所に力が均等にかかるように接合部分の双方を斜めに加工し、塗装むらなどを無くし一度で塗装ができる。
【００１６】
又、２ツの枠４の同一方面の片面に、塗料を入れる塗料入れを設けて、枠４と１体化になっている塗料入れ９に面したところに、小さな穴をいくつも開け機密性の高い浸透材を設けて、塗料が少しずつ塗装部の海綿体５に染みるようになり、一度で長く塗装の作業効率が上がる。そして、塗料入れ９に蓋１０を設けて、塗料が漏れないようにした、塗装部の塗料入れ９が枠４に一体化して設けられている。
【００１７】
図１で示している、取っ手１部分と塗装部の方向になっているものと、図１２で紹介している、取っ手１部分と塗装部が９０度角度の違う塗装道具もある。この塗装道具の場合、塗装部が閉じるときにスライドしながら対面的に接合する。
【００１８】
今までの塗装道具は、手馴れた職人達が時間を掛けて作業していた、プール，体育館、ベランダ、屋上、などの柵を本考案は、手馴れていない職人、一般人、子供でも簡単に塗装が出来るように構成された塗装道具である。
【００１９】
本考案の塗装部の枠４には、海綿体５またはスポンジなどの浸透素材を使用し、２ツの枠４が接合する全部分を図４に示す形に斜めにカットし、海綿体５などに均等に力が働くことで塗料が余分に集まらない構造なので、海綿体５などからの液ダレによる、液むらなどを無くし刷毛むらに成らない構成である。
【００２０】
従来の作業方法の刷毛、ローラーなどでは、塗装面全体に１度で接合が出来ず何回も繰り返し塗装していたが、本考案の塗装具は、塗装部の大きさに合わした海綿体５付き枠４が塗装面全体を包むことで、１度で均等に塗装でき、又、枠４の外側の中心部分に軸６を設けて塗装部と、それぞれの塗装部が塗装物を塗装する時に回転するので、自在な動きで簡単に塗装が可能になった。そして、塗装時の液ダレ刷毛むらなどには、枠４の四方の縁に液ダレ防止のための立ち上がり８を設けた。その立ち上がり８の内側に海綿体５が設置されていて、海綿体５にも液ダレ刷毛むら防止のために、枠４が接合する部分で海綿体５の接合箇所に力が均等にかかるように、接合部分の双方を斜めに加工し、塗装時の液ダレ刷毛むらも無く簡単に１度で塗装ができる。
【００２１】
以下、図１、図２、図３に示すように、ハサミ形の両先端部分の断面形状が同一形状の枠４の全縁に立ち上がり８を設け、その内側に、接合部分に力が均等に架かるように、斜めに加工された海綿体５が２ツカットされて付いているので、液だれや塗装むらをしなくなり、又、ハサミ形の両先端部分がそれぞれの枠４の軸６の外側の中心部分に塗装部とそれぞれの塗装部が回転できるように軸６を支持する軸受け３に塗装部を開閉するための取っ手１を取り付けているので、自由自在に動き、上下、左右、斜めの動きや、曲線や接合されたものなどに無理なく自由に塗装部分に１度で塗装ができる。
【００２２】
図１に示すように、塗装具は、ハサミ形の取っ手１を備えている。これらの取っ手１は、その支軸２がネジでとめられており、開閉可能に構成されている。そして、取っ手１の先端部分には、軸受け３が設けられている。その軸受け３に枠４の外側を中心にした所に軸６を設け、その軸６を軸受け３に入れ、軸止め７で軸６を止めているので枠４が自在に動き、そして、塗装部について枠４の四方の縁に立ち上がり８を設けて、液だれや液漏れを防ぐ働きが有り、枠４の四方の縁の内側に変形に加工された海綿体５が有り枠４の形と同じ形にし、枠４の四方の立ち上がり８より内側より高く設けてある。又、海綿体５が接合する部分には力が分散するように、斜めにカットして塗布部に液だれ、刷毛むらなどを起こらない構造である。
【符号の説明】
【００２３】
１  取っ手
２  支軸
３  軸受け
４  枠
５  変形に加工させた海綿体
６  軸
７  軸止め
８  枠の立ち上がり部分
９  塗料入れ
１０  塗料入れる蓋
【図１】
0003163694.tif 000003
【図２】
0003163694.tif 000004
【図３】
0003163694.tif 000005
【図４】
0003163694.tif 000006
【図５】
0003163694.tif 000007
【図６】
0003163694.tif 000008
【図７】
0003163694.tif 000009
【図８】
0003163694.tif 000010
【図９】
0003163694.tif 000011
【図１０】
0003163694.tif 000012
【図１１】
0003163694.tif 000013
【図１２】
0003163694.tif 000014